(57)【要約】【課題】  コスト低減を図りつつ、機能の安定性及び強度を確保すること。【解決手段】  基板１と、その一側部に起伏自在に結合した起伏側板２と、その上部両側に設けた一対の綴棒３と、基板１の他側部に立ち上げ部４ａによって立設した固定側板４と、その上部に形成した、一対の綴棒３受け入れ用の一対の受け溝５と、立ち上げ部４ａを構成する直立部４ａ１、水平部４ａ２、水平受け片４ａ３、垂下片４ａ５及び半円筒部４ａ４でヒンジピン８を支持することで固定側板４の外面側に離接自在に配した副側板６と、受け溝５の底部から外向きに付設した受け鍔５ａと、副側板６の膨出部７ａに開口した綴棒固定用の連結孔７であって、副側板６の固定側板４への当接時に受け鍔５ａを外装する受け筒部７ｂを付設した連結孔７と、副側板６に固定側板４側への作用力を与えるねじりコイルバネ１１とからなる。【選択図】  図１
2005186436.tif 000002
【特許請求の範囲】
【請求項１】
バインダ本体の背表紙部内面に取り付ける基板と、該基板の一側部に起伏自在に結合した起伏側板であって、その両側部付近から該基板の他側部側に延びる一対の綴棒を備えた起伏側板と、該基板の他側部に立設固定した固定側板であって、その上部に該起伏側板の一対の綴棒の各々を上方から受け入れる一対の受け溝を備えた固定側板と、該基板の他側部に起伏自在かつ起立時に該固定側板の外面側に当接状態になるようにヒンジ結合した副側板であって、該固定側板の一対の受け溝に装入状態の綴棒に嵌合する一対の嵌合孔を備えた副側板とからなるファイル用バインダの綴金具に於いて、
前記固定側板の受け溝の底部に外方に向かって延びる受け鍔を形成し、
前記副側板の一対の嵌合孔を、該副側板のこれらを構成する部位の周囲を各々外方に膨出した膨出部に構成し、その各膨出部の該当する部位に開口すると共に、該一対の嵌合孔の開口部周囲から内方に延びる受け筒部を付設し、
前記固定側板を、基板の一側部から立ち上げる立ち上げ部であって、前記副側板のヒンジピンを回動自在に支持するピン支持部を兼ねた立ち上げ部と、該立ち上げ部から立ち上がる側板本体とで構成し、
該立ち上げ部を、該基板の側部の長さ方向の複数箇所から立ち上げた複数の直立部と、該複数の直立部の内の一部のそれの上端から水平外方に延ばした水平部であって、その外端から前記側板本体を立ち上げる水平部と、前記複数の直立部の間の複数箇所に複数の小直立部を構成すると共にその上端から水平外方に延ばした水平受け片と、前記複数の直立部の内の隣接する二カ所の上端から外方に向かって断面半円弧状に丸めた半円筒部と、前記側板本体の前記水平部と結合していない部位から垂下させた垂下片とを構成し、
前記副側板の最下端にその下部を丸めて構成したヒンジピンを、前記ピン支持部を兼ねた立ち上げ部に挿入すると共に、バネ部材で該副側板に前記固定側板側に回動するよう付勢したものであるファイル用バインダの綴金具。
【請求項２】
前記バネ部材を、ねじりコイルバネとし、該ねじりコイルバネを前記副側板のヒンジピンに外装すると共に、その一方の端部を前記基板の裏面側に係止し、他方の端部を該副側板の下部外面側に係止した請求項１のファイル用バインダの綴金具。
【発明の詳細な説明】
【技術分野】
【０００１】
本発明は、バインダ本体の背表紙部内面に取り付け、これによって文書類を綴じるために使用する綴金具に関し、特に、ファイル対象紙片をファイリングした場合の使用上の利便性の高いファイル用バインダの綴金具に関するものである。
【背景技術】
【０００２】
この種のファイル用バインダの綴金具は、基本的に、バインダ本体の背表紙部内面に取り付けるための基板と、該基板の両側部から各々立ち上がる側板と、一方の側板の両側付近から他方の側板に向かって延びる一対の綴管及び該綴管に嵌合する他方の側板から延びる一対の綴棒又は一方の側板の両側付近から他方の側板に向かって延びる一対の綴棒と他方の側板に備えた該綴棒との係止部とのいずれかとからなり、両側板の一方のみが基板と着脱自在となっている片開きタイプの綴金具又は両方の側板が基板と着脱自在となっている両開きタイプに構成されているものである。
【０００３】
これらのファイル用バインダの綴金具は、使い勝手の観点、耐久性の観点、或いは、リサイクルの観点から種々の工夫がされてきている。
例えば、特許文献１は、両側板を基板に着脱自在に構成したファイル対象紙片の綴じ込み・抜き取りに便利な両開きタイプであるが、先行するそれの両側板の着脱機構をより簡明なものとして、製造コストを低減させたものである。特許文献２もほぼ同様の趣旨のものであるが、更に簡明な構成にしたものである。特許文献３又は４もまた同様の趣旨の問題点を解決したものである。前者は、両側板（支持体）の基板（背板）との着脱を一つ側板に対して一つ作動部材とすることにより構成を簡明にし、組み立て工程を簡素化したものであり、後者は、構成を簡明にして組み立て工程を簡素化すると共に、側板（支持板）と基板（背板）との着脱の容易性を図って、使用上の利便性を高めたものである。
【０００４】
また特許文献５は、底板（基板）の一方の側板が固定タイプで、他方の側板が起伏自在になっている片開きタイプの綴じ具に関するものであり、その綴じ棒への綴じ込み物の綴じ込みや取り外しを容易にして繰り返し再利用を容易にしようとするものである。
【０００５】
このようなファイル用バインダの綴金具は、種々の問題点の解決が図られつつあるが、更に使用上の利便性の観点から種々の問題点の解決が望まれる。例えば、該綴金具へのファイル対象紙片の綴じ込みの確実性を高め、バインダを床上その他に落としてしまった場合のようにでも大きな衝撃を受けた場合でも綴金具が綴じた状態を確実に維持して対象紙片を離脱させないようにすることなどである。或いは綴棒の先端でバインダ本体や対象紙片或いは使用者の手等を傷つけないようにする等である。
【０００６】
【特許文献１】特許第３１３３９０３号公報
【特許文献１】特開平９−１５６２７６号公報
【特許文献１】特許第２８１８７６９号公報
【特許文献１】特許第２９８０８３５号公報
【特許文献１】特開２００３−２１１８８４号公報
【発明の開示】
【発明が解決しようとする課題】
【０００７】
本発明は、ファイル用バインダの綴金具の種々の技術的課題の内、特に、ファイル対象紙片をファイリングした場合の使用上の利便性を高めつつコストの低減を図ることを目的とするものであり、より具体的には、該綴金具へのファイル対象紙片の綴じ込みの確実性を高め、バインダが大きな衝撃を受けた場合、例えば、これを床上等に落下させた場合等にも綴棒が相手側の側板から外れて対象紙片を離脱させるような問題を生じさせることがなく、更に各部がこれらの衝撃によって変形するようなこともなく、これに起因する使用上の不都合を生じさせないものであって、これらの優れた機能を部品点数を減少させる等のコスト低減を図りつつ実現する優れたファイル用バインダの綴金具を提供することを解決の課題とする。
【課題を解決するための手段】
【０００８】
本発明の１は、バインダ本体の背表紙部内面に取り付ける基板と、該基板の一側部に起伏自在に結合した起伏側板であって、その両側部付近から該基板の他側部側に延びる一対の綴棒を備えた起伏側板と、該基板の他側部に立設固定した固定側板であって、その上部に該起伏側板の一対の綴棒の各々を上方から受け入れる一対の受け溝を備えた固定側板と、該基板の他側部に起伏自在かつ起立時に該固定側板の外面側に当接状態になるようにヒンジ結合した副側板であって、該固定側板の一対の受け溝に装入状態の綴棒に嵌合する一対の嵌合孔を備えた副側板とからなるファイル用バインダの綴金具に於いて、
前記固定側板の受け溝の底部に外方に向かって延びる受け鍔を形成し、
前記副側板の一対の嵌合孔を、該副側板のこれらを構成する部位の周囲を各々外方に膨出した膨出部に構成し、その各膨出部の該当する部位に開口すると共に、該一対の嵌合孔の開口部周囲から内方に延びる受け筒部を付設し、
前記固定側板を、基板の一側部から立ち上げる立ち上げ部であって、前記副側板のヒンジピンを回動自在に支持するピン支持部を兼ねた立ち上げ部と、該立ち上げ部から立ち上がる側板本体とで構成し、
該立ち上げ部を、該基板の側部の長さ方向の複数箇所から立ち上げた複数の直立部と、該複数の直立部の内の一部のそれの上端から水平外方に延ばした水平部であって、その外端から前記側板本体を立ち上げる水平部と、前記複数の直立部の間の複数箇所に複数の小直立部を構成すると共にその上端から水平外方に延ばした水平受け片と、前記複数の直立部の内の隣接する二カ所の上端から外方に向かって断面半円弧状に丸めた半円筒部と、前記側板本体の前記水平部と結合していない部位から垂下させた垂下片とを構成し、
前記副側板の最下端にその下部を丸めて構成したヒンジピンを、前記ピン支持部を兼ねた立ち上げ部に挿入すると共に、バネ部材で該副側板に前記固定側板側に回動するよう付勢したものであるファイル用バインダの綴金具である。
【０００９】
本発明の２は、本発明の１のファイル用バインダの綴金具に於いて、前記バネ部材を、ねじりコイルバネとし、該ねじりコイルバネを前記副側板のヒンジピンに外装すると共に、その一方の端部を前記基板の裏面側に係止し、他方の端部を該副側板の下部外面側に係止したものである。
【発明の効果】
【００１０】
本発明の１のファイル用バインダの綴金具によれば、前記起伏側板から延びる一対の綴棒は固定側板の受け溝に装入状態になると、その受け鍔で確実かつ安定した状態に支持され、更に副側板の嵌合孔及びこれに設けた受け筒部で確実に固定されることとなる。そのため、ファイル対象紙片の綴じ込み状態は確実に維持されることとなる。
【００１１】
また副側板の下端の管状のヒンジピンは、固定側板のピン支持部を兼ねた立ち上げ部を構成する最下部の直立部と、その上端から外方に延長した水平部と、小直立部から外方に延長した水平受け片と、半円筒部とで回動自在かつ上下及びその軸に交差する方向に容易に動かないように確実に支持される。そのため、副側板の開閉回動がスムーズかつ安定して行われ得ることとなり、綴棒の固定側板の受け溝への固定及び固定解除が確実かつスムーズに行われ得るものとなる。従ってファイル対象紙片の綴じ込み及び抜き取り動作もスムーズかつ安定して行うことができる。更にこの綴金具を取り付けたバインダが床上に落下する等により大きな衝撃を受けた場合であっても、ヒンジピンがみだりに動くことがなく、それ故、前記綴棒によるファイル対象紙片の綴じ込み状態はこのような場合にも確実に維持される。
【００１２】
前記のように、副側板の下端に管状のヒンジピンを構成し、このヒンジピンをピン支持部を兼ねる立ち上げ部で回動自在に支持するものとすることにより、該副側板をヒンジ管とヒンジピンによる通常のヒンジ構成によって回動自在に支持する構成に代えたため、一般に必要となるピン部材が不要となり、コスト面での低減化を図ることもできることとなったものである。
【００１３】
更に前記一対の綴棒は、前記受け鍔に載った状態で副側板の嵌合孔に嵌合固定されるものであるが、該嵌合孔は、それが形成された部位が外方に膨出しており、該膨出部位から内方に延びる受け筒部が付設してあるため、該綴棒は必要な長さを持ったその受け筒部でその先端から所定の部位まで確実に支持されることとなる。即ち、該綴棒はその先端が副側板の外方に突出することなく確実に支持されることとなり、その先端でバインダの表紙部又は裏表紙部に損傷を生じさせる虞をなくすることができるものである。
【００１４】
本発明の２のファイル用バインダの綴金具によれば、副側板の固定側板側への回動力を簡単な構成で確実に獲得しているものである。
【発明を実施するための最良の形態】
【００１５】
本発明は、基本的に、基板と、その一側部に結合し、一対の綴棒を備えた起伏側板と、該基板の他側部に立設固定し、一対の受け溝を備えた固定側板と、該基板の他側部に更に起伏自在にヒンジ結合し、一対に嵌合孔を備えた副側板とからなる片開きタイプのファイル用バインダの綴金具に於いて、
前記受け溝、前記嵌合孔、前記固定側板の立ち上げ部、及び前記副側板のヒンジピンの取付構造に関して特定の有効な構成を与えたものである。
【００１６】
前記基板はバインダ本体の背表紙部内面に取り付ける構成要素であり、平面から見て概ね長方形を基本とする部材であり、他の構成要素はこれに取り付けられることになる。上記背表紙部内面への取付手段の構成は自由であり、特定のそれに限定されない。近時は、使用終了時の分別廃棄のためにバインダ本体との分離が容易にできるものであることが望まれている。
【００１７】
前記起伏側板は、前記のように、一対の綴棒を備えたものである必要がある。これは文字通り棒材で構成することも可能であるが、製作上の都合から多くの場合はパイプ状に構成されており、当然、この綴棒はこのようなパイプ状の構成を含む。この一対の綴棒は、該起伏側板の両側部付近からその面と直交する方向に突出させた状態に構成する。一対の綴棒は相互に平行に形成する。また前記起伏側板は、前記基板の一側部に、例えば、自由な手段で起伏自在に取り付けたものである。通常ヒンジを介して起伏自在に取り付けるべきものである。
【００１８】
前記固定側板は、前記基板の他側部に固定的に立ち上げた構成要素であり、前記副側板のヒンジピンを回動自在に支持するピン支持部を兼ねた立ち上げ部と、該立ち上げ部から立ち上がる側板本体とで構成したものである。前記一対の受け溝は、該側板本体の上部に、前記起伏側板から突出する一対の綴棒の各々を該起伏側板の起立時に、上方から受け入れる位置関係で構成してあり、かつその底部には外方に向かって延びる受け鍔が形成してあるものである。
【００１９】
前記立ち上げ部は、前記基板の側部の長さ方向の複数箇所から立ち上げた複数の直立部と、該複数の直立部の内の一部のそれの上端から水平外方に延ばした水平部であって、その外端から前記側板本体を立ち上げる水平部と、前記複数の直立部の間の複数箇所に複数の小直立部を構成すると共にその上端から水平外方に延ばした水平受け片と、前記複数の直立部の内の隣接する二カ所の上端から外方に向かって断面半円弧状に丸めた半円筒部と、前記側板本体の前記水平部と結合していない部位から垂下させた垂下片とで構成するものである。
【００２０】
前記直立部の位置する直立面と前記垂下片の位置する直立面との間の距離、並びに前記水平部の位置する水平面と前記水平受け片の位置する水平面との間の距離は、相互にほぼ一致するものとし、かつその距離は、前記副側板のヒンジピンの直径をわずかに越える寸法とする。また前記半円筒部の内径も該距離とほぼ一致させたものとする。また該半円筒部はほぼ半円筒であれば良く、文字通りの半円筒であることが要求されているわけではない。
【００２１】
前記直立部は、より具体的には、例えば、前記基板の該当する側部の８カ所から長さ方向を左右として左右対称な状態に立ち上げる。左右端から各々二番目と三番目の直立部との間には隙間を空け、各隙間には前記小直立部を一つずつ立ち上げ、その上端から各々外方に延ばした水平受け片を構成し、更に中央部には、直立部を構成しないバネ配置用の隙間を残しておくものとする。
【００２２】
また前記水平部は、より具体的には、以上の８カ所の直立部の内の左右端の２つの直立部及び左右端から各三番目の２つの直立部の各上端部から外方に水平に延長して構成するものとする。該水平部は、こうして４カ所に同様に左右対称な状態に構成されることになる。前記側板本体は、以上の四枚の水平部の先端から立ち上がるように構成する。前記垂下片は、両端から各々二番目の直立部に対応する位置関係で、前記側板本体の下端から垂下させる。
【００２３】
前記半円筒部は、これもまたより具体的には、前記バネ配置用の隙間を介して隣接する中央の２つの直立部の上端から外方に向かって断面半円弧状に丸めた状態に形成する。
【００２４】
前記側板本体も、更に具体的には、その周縁部を外方に直角に折り曲げた補強縁を備えており、前記受け溝の底部から外方に向かって延びる受け鍔は該補強縁と同一程度の突出寸法とする。これは、前記副側板の周縁部にも同様の補強縁を内方に向けて突出するように形成しておき、該副側板を直立させた際に該内向きの補強縁が該側板本体の外面に当接して、該外面及び副側板の内面との間に生じた隙間空間に位置することができる突出寸法とする趣旨である。
【００２５】
前記副側板は、前記のように、前記基板の他側部に、ピン支持部を兼ねた固定側板の立ち上げ部にそのヒンジピンを挿入して起伏自在にヒンジ結合するものであるが、該固定側板の外側に位置し、起立した状態で該固定側板の外面にほぼ当接状態となるように位置決めするものである。もっとも当接状態とは云っても文字通り全面的にそうである必要はない。前記のように、固定側板の周縁部に外向きの補強縁を設け、副側板の周縁部に内向きの補強縁を形成し、更に副側板側の周縁部を補強縁の厚み程度小さく構成した場合には、後者を起立状態にすると、後者の補強縁が前者の補強縁の内側の外面に当接する状態になる。このような場合も含む趣旨、即ち、いずれかの部位が当接するまで起立回動するようになっているとの趣旨である。
【００２６】
また前記副側板には、前記したように、一対の嵌合孔が開口してあり、これらは該副側板の起立時に、前記固定側板の一対の受け溝に載置状態になっている綴棒の先端付近を嵌合させ得る位置関係で構成されるべきものである。これらの嵌合孔は、該副側板のこれらを構成する部位付近を各々外方に膨出した膨出部に構成した上で、その各膨出部の該当する部位に開口する。該膨出部は該嵌合孔の周囲を円形又は方形にほぼ同一の膨出状態に構成する。また一対の嵌合孔には、その開口部周囲から内方に延びる受け筒部を付設するものとする。該受け筒部は、前記受け溝の受け鍔に干渉し合わないように、これより大径に構成するのが適当である。それ故、嵌合孔も自ずとこれに一致する大径のものとなる。
【００２７】
前記副側板の最下端には、前記のように、下部を丸めてヒンジピンを構成し、該ヒンジピンを、前記ピン支持部を兼ねた立ち上げ部に挿入する。より具体的には、該副側板の最下部には、両側下部及びやや一方寄りの中間部付近をそれぞれ若干切り欠いた上で、幅広のピン構成片と幅狭のピン構成片とを垂下させ、一方の幅狭のピン構成片にはその最下部を内側に巻いて一本のヒンジピンを構成し、更に他方の幅広のピン構成片にはその最下部に中間で分離する二本のヒンジピンを相互に軸心を一致させて構成する。これらの二本のヒンジピンは、当然、他のピン構成片に構成したヒンジピンとも軸心を一致させた位置関係とする。
【００２８】
また前記三本のヒンジピンの内、中央のそれは幅広のピン構成片の一端から前記副側板の左右方向中央側に突出した状態に構成する。
【００２９】
前記副側板は、下部にピン構成片を介して構成した３本のヒンジピンを固定側板の下部のピン支持部を兼ねた立ち上げ部に挿入する。両端側のヒンジピンは、両端側に位置する直立部、水平部、水平受け片及び垂下片の間に挿入し、また中央側のヒンジピンは、前記二つの半円筒部の下方に挿入する。これは、若干側方からスライドさせつつ挿入することができる。
【００３０】
なお中央側のヒンジピンは、以上のように、二つの半円筒部の下方に挿入する前に、例えば、ねじりコイルバネを両半円筒部の間に挿入しておき、該ヒンジピンを該半円筒部に挿入する際に、該ねじりコイルバネの本体部分に挿入し、かつ該ねじりコイルバネの一方の端部を基板の裏面側に係止させ、他方の端部を副側板の外面側に係止させるようにする。基板の裏面の該当する部位には対応する係止溝を形成しておき、かつ副側板の外面の該当する部位には対応する係止溝を形成しておき、それぞれの端部が良好に係止し得るようにしておくのが適当である。
【００３１】
こうして副側板はその下部のヒンジピンを中心に固定側板側に当接すべく回動する作用力を該ねじりコイルバネによって付与される。なお、この作用力は、別種のバネ部材によっても実現できるのは云うまでもない。
【００３２】
したがって本発明のファイル用バインダの綴金具によれば、前記起伏側板から延びる一対の綴棒にファイル対象紙片をその綴じ込み孔を利用して嵌挿係止した上で、該起伏側板を起立させると、該一対の綴棒は固定側板の受け溝に装入状態になり、その受け鍔で確実かつ安定した状態に支持され、更に副側板を前記バネ部材の作用により該固定側板側に起立当接させると、該一対の綴棒はその二つの嵌合孔及びこれに設けた受け筒部で確実に固定されることとなる。そのため、ファイル対象紙片の綴じ込み状態は確実に維持されることとなる。
【００３３】
綴じ込んだファイル対象紙片を抜き取る場合は、前記副側板の上部を掴んでこれを外方に回動させると、その二つの嵌合孔から前記一対の綴棒の先端が抜けて自由になるため、起立している前記起伏側板を外方に倒すように回動動作させると、該綴棒は前記受け溝及び受け鍔から浮上し、これらに嵌挿係止状態のファイル対象紙片を抜き取ることができることになる。
【００３４】
この状態で、該綴棒には新たなファイル対象紙片を嵌挿係止し、或いはせずに、再度起伏側板を起立させれば、前記した過程を経て、該綴棒は固定側板の受け溝及び受け鍔並びに副側板の嵌合孔及び受け筒部で確実に支持されることとなる。
【００３５】
前記副側板は、その下端のヒンジピンが、固定側板のピン支持部を兼ねた立ち上げ部を構成する最下部の直立部と、その上端から外方に延長した水平部と、小直立部から外方に延長した水平受け片と、側板本体から垂下した垂下片と、半円筒部との間で回動自在かつ上下及びその軸に交差する方向に容易に動かないように確実に支持される。
【００３６】
そのため、前記副側板の起伏開閉回動がスムーズかつ安定して行われ得ることとなり、綴棒の固定側板の受け溝への固定及び固定解除が確実かつスムーズに行われ得るものとなる。従って前記のようなファイル対象紙片の綴じ込み及び抜き取り動作もスムーズかつ安定して行うことができる。更に、この綴金具を取り付けたバインダが床上に落下する等により大きな衝撃を受けた場合であっても、前記のように、確実にヒンジピンが支持されているので、これがみだりに動くことがなく、そのため、前記綴棒によるファイル対象紙片の綴じ込み状態はこのような場合にも確実に維持されることになる。
【００３７】
更に前記一対の綴棒は、その最外端が副側板の嵌合孔及びその周縁から内方に延びる受け筒部に嵌合支持されるようになっており、該嵌合孔が外方に膨出した膨出部位に構成されているものであるため、該綴棒はその先端が嵌合孔から突出することがないようになっている。そのため該綴棒はその先端でバインダの表紙部又は裏表紙部に損傷を生じさせる虞をなくすることができるものである。
【実施例１】
【００３８】
この実施例のファイル用綴金具１は、図１、図２、図７、図８及び図９に示すように、片開き構造のそれであり、基本的に、平面から見て長方形の金属板材である基板１と、該基板１の一側部に結合した起伏側板２と、該起伏側板２の両側から突出する一対の綴棒３、３と、前記基板１の他側部に立設固定した固定側板４と、該固定側板４に形成した二つの受け溝５、５と、前記基板１の他側部に更に起伏自在にヒンジ結合した副側板６と、該副側板６に開口した一対の嵌合孔７、７とからなり、特に前記受け溝５、５、前記嵌合孔７、７、前記固定側板４の立ち上げ部及び前記副側板６のヒンジピン８、８、８の取付構造に関して特徴を有するものである。
【００３９】
前記基板１は、この綴金具をバインダ本体の背表紙部内面に取り付けるための構成要素であり、他の構成要素の全てを直接間接に取り付けるための基本部材である。その一側部には、図１〜図４に示すように、前記起伏側板２をこれに起伏自在に取り付けるための４個のヒンジ管９、９…が該側部に沿って直列に配してあり、他側部には立ち上げ部を介して前記固定側板４が立設固定してある。また該基板１の四隅の各々には取付孔１０、１０…を開口してあり、これらを利用してリベット等により前記背表紙部内面に取り付けられるようになっている。
【００４０】
前記起伏側板２は、図１及び図９に示すように、下部途中に二つの方形の開口部を形成し、更にその下方の部位を丸めることにより、最下端のヒンジピン２ａと、これを垂下支持する三本の脚片２ｂ、２ｂ、２ｂとを構成し、他方で、その上端を外方に折り返すことで強化すると共に、その上端両側部から、これ（起伏側板２）を起立させた状態で対面する固定側板４側に突出延長する一対の綴棒３、３を備えたものである。該綴棒３、３は、文字通りの棒材ではなく、該起伏側板２の本体部分と一体の金属板材を丸めて構成した管状の構成要素である。それらの先端部は、先端上部が尖頭部となるように斜めにカットした形状となっている。
【００４１】
前記三本の脚片２ｂ、２ｂ、２ｂ間の隙間寸法は、前記基板１の一側に構成した四個のヒンジ管９、９…の内の内側の二個の長さ寸法を僅かに越え、該三本の脚片２ｂ、２ｂ、２ｂの該ヒンジ管９、９…と同方向の長さ寸法は、該四個のヒンジ管９、９…間の隙間寸法より僅かに下回る寸法に構成する。該四個のヒンジ管９、９…は、図１及び図２に示すように、基板１の一側部から立ち上げた上で、外方に丸めて構成したものであるが、その外端と基板１から立ち上げた起立部との間には、前記脚片２ｂ、２ｂ、２ｂの厚みを越える幅のスリット９ａ、９ａ…が空けてあり、前記起伏側板２を、図１の状態から反転させることにより、該スリット９ａ、９ａ…を通じて脚片２ｂ、２ｂ、２ｂを通過させながら、同図に示す状態に、前記ヒンジピン２ａを該ヒンジ管９、９…に貫通させてセット状態にすることができる。
【００４２】
前記固定側板４は、図１〜図７に示すように、前記基板１の他側部に固定的に立ち上げた構成要素であり、前記副側板６のヒンジピン８、８、８を回動自在に支持するピン支持部を兼ねた立ち上げ部４ａと、該立ち上げ部４ａから立ち上がる側板本体４ｂとで構成したものである。
【００４３】
前記固定側板４の側板本体４ｂには、図１〜図４に示すように、その上部の両側に、前記起伏側板２の両側から突出する一対の綴棒３、３に対応させて、前記受け溝５、５を形成する。該受け溝５、５は、前記起伏側板２を外側に倒した状態から起立させた場合に、その両側内側上部から突出する一対の綴棒３、３の各々が、上部から進入することができるように、そのような位置関係で上部が開口した溝に形成する。また各受け溝５、５には、図２〜図４に示すように、その底部から外方に延びる受け鍔５ａを付設する。これらの受け鍔５ａ、５ａは、側板本体４ｂを構成する金属板材の受け溝５、５の底部に繋がる部分を外方に延長した構成とし、その外方への延長寸法は、後述する補強縁４ｂ１の外方への突出寸法と同一に設定する。
【００４４】
前記側板本体４ｂには、図１〜図４に示すように、その上部中央に部分円弧状の凹部を形成しておき、更にその上部及び側部の周縁部には、それらの部位を外方に直角に折曲した補強縁４ｂ１を形成する。
【００４５】
また前記固定側板４の立ち上げ部４ａは、図１〜図７に示すように、八個の直立部４ａ１、４ａ１…と、四個の水平部４ａ２、４ａ２…と、二個の水平受け片４ａ３、４ａ３と、二個の半円筒部４ａ４、４ａ４と、二個の垂下片４ａ５、４ａ５とで構成したものである。
【００４６】
前記八個の直立部４ａ１、４ａ１…は、図１〜図４に示すように、前記基板１の該当する側部にその長さ方向を左右として左右対称に立ち上げたものである。左右端から各々二個を連続して立ち上げ、二番目と三番目の間には隙間を空け、三番目と四番目は又連続して立ち上げ、左右端から四番目のそれらの間、即ち、中央部には又隙間を残しておくものとする。
【００４７】
前記四個の水平部４ａ２、４ａ２…は、図１〜図４に示すように、前記八個の直立部４ａ１、４ａ１…の内の各々両側端及び両側端から三番目のそれの上端から水平外方に延ばした構成要素であり、前記側板本体４ｂは、それらの四個の水平部４ａ２、４ａ２…の外端から立ち上げたものである。なお四個の水平部４ａ２、４ａ２…の内、内側の二個の水平部４ａ２、４ａ２は、外側の水平部４ａ２に対向する側が、後述する水平受け片４ａ３の配設位置の上方に延長するように構成され、後述するように、その間に配されるヒンジピン８をより確実に支持できるようになっている。
【００４８】
前記水平受け片４ａ３、４ａ３は、図１〜図７に示すように、各々両側端から二番目と三番目の直立部４ａ１、４ａ１間の隙間に小直立部を立ち上げると共に、その各上端から水平外方に延ばして構成した構成要素である。
【００４９】
前記半円筒部４ａ４、４ａ４は、図１〜図４に示すように、両側端から各々４番目の直立部４ａ１、４ａ１の上端から外方に向かって断面半円弧状に丸めて形成した半円筒状の構成要素であり、その内径は、前記副側板６のヒンジピン８、８、８の外径をわずかに越える寸法とする。
【００５０】
また前記垂下片４ａ５、４ａ５は、図１〜図５に示すように、前記側板本体４ｂの前記水平部４ａ２、４ａ２…と結合していない部位の内、両側端から二番目の直立部４ａ１、４ａ１に対応する部位からそれらに対面する状態に垂下させて構成したものである。
【００５１】
以上に於いて、前記直立部４ａ１、４ａ１…の配された直立面と前記垂下片４ａ５、４ａ５の配された直立面との間の距離（間隔）、並びに前記水平部４ａ２、４ａ２…の配された水平面と前記水平受け片４ａ３、４ａ３の配された水平面との間の距離（間隔）は、相互に一致するものとし、かつその距離（間隔）は、前記副側板６のヒンジピン８、８、８の直径を僅かに越える寸法とする。
【００５２】
前記副側板６は、図１〜図７に示すように、前記固定側板４の立ち上げ部４ａにそのヒンジピン８、８、８を挿入して、その外側に下部に起伏自在にヒンジ結合するものであり、該固定側板４の外側に位置し、起立した状態で側板本体４ｂの外面にほぼ当接状態となるように位置決めするものである。
【００５３】
前記副側板６は、図３〜図８に示すように、前記固定側板４の側板本体４ｂと近似する外形を持った板状の構成要素であり、その上部両側には一対の嵌合孔７、７が開口してあり、これらは該副側板６の起立時に、該側板本体４ｂの一対の受け溝５、５に載置状態になっている綴棒３、３の先端付近を嵌合させ得る位置関係で構成したものである。これらの嵌合孔７、７は、該副側板６のこれらを構成する部位の周囲を各々外方に膨出させた膨出部７ａ、７ａに構成した上で、その各膨出部７ａ、７ａの該当する部位に開口したものである。また該一対の嵌合孔７、７には、その開口部周囲から、特に図３及び図８に示すように、内方に延びる受け筒部７ｂ、７ｂを付設するものとする。該嵌合孔７、７及び受け筒部７ｂ、７ｂは、前記受け溝５、５の受け鍔５ａ、５ａと干渉し合わないように、これより大径に構成する。なお該受け筒部７ｂ、７ｂは、その内方への突出寸法を、後述する副側板６の補強縁６ａの内方への突出寸法と同一寸法とする。
【００５４】
前記副側板６の最下端には、特に図８に示すように、両側下部を僅かに切り欠き、更にやや一方寄りの中間部付近を若干切り欠いた上で、幅広のピン構成片と幅狭のピン構成片とを垂下させ、一方の幅狭のピン構成片にはその最下部を内側に巻いて一本のヒンジピン８を構成し、更に他方の幅広のピン構成片にはその最下部に中間で分離する二本のヒンジピン８、８を相互に軸心を一致させて構成する。後者の二本のヒンジピン８、８は、当然、前者の一本のヒンジピン８と軸心を一致させる。なお中央側のヒンジピン８は幅広のピン構成片の一端から中央側に突出した状態に構成する。
【００５５】
なお又両側の二本のヒンジピン８、８は、後述するように、該副側板６を前記固定側板４の外側に正規にセットした状態で、各々両側端の二個の水平部４ａ２、４ａ２の下方に位置し、かつ対応する水平受け片４ａ３上に位置するように位置決めし、中央の一本のヒンジピン８は、同様の状態で、中央の二つの半円筒部４ａ４、４ａ４中に挿入状態になるように位置決めする。
【００５６】
前記副側板６は、特に図８に示すように、前記側板本体４ｂ上部の部分円弧状の凹部に対応する部位及び前記一対の嵌合孔７、７に上下対応する部位を除いて、その上部及び両側の周縁部に内方に直角に折曲した補強縁６ａを形成する。また上部の側板本体の部分円弧状の凹部に対応する部位には、同図に示すように、内方斜め下方に向けて折曲した操作片６ｂを形成し、かつ前記一対の嵌合孔７、７に上下対応する部位には、それぞれ、同様に内方斜め下方に向けて折曲した摺動片６ｃ、６ｃを形成する。
【００５７】
これらの摺動片６ｃ、６ｃは、前記起伏側板２を起立させて、その両側の綴棒３、３を前記固定側板４の受け溝５、５に向かって下降させると、その先端がこれら（該摺動片６ｃ、６ｃ）に当たってその面をスライド下降し、これにともなって該摺動片６ｃ、６ｃを構成した副側板６を外方に回動させることとなり、該綴棒３、３の受け溝５、５への進入が許容されることとなるようになっているものである。綴棒３、３の先端が該摺動片６ｃ、６ｃから外れると、該副側板６は、後述するねじりコイルバネ１１の作用により復帰して、この時点で該受け溝５、５に載った状態になっている綴棒３、３を受け鍔５ａ、５ａとともに、該副側板６の嵌合孔７、７及び受け筒部７ｂ、７ｂで外装嵌合することとなるようになっている。
【００５８】
前記副側板６は、図１〜図７に示すように、下部に構成した３本のヒンジピン８、８、８を前記固定側板４の下部のピン支持部を兼ねた立ち上げ部４ａに挿入する。両端側のヒンジピン８、８は、各々両端側に位置する二つの直立部４ａ１、４ａ１、両端側の二つの水平部４ａ２、４ａ２、対応する側の一つの水平受け片４ａ３及び対応する側の一つの垂下片４ａ５の間に挿入し、また中央側のヒンジピン８は、前記二つの半円筒部４ａ４、４ａ４の下方に挿入する。これは、図３及び図５に示すように、副側板６を若干側方にずらした上で、各ヒンジピン８、８、８を上記各要素の間に挿入し、若干起伏回動させつつスライドさせて挿入することができる。
【００５９】
なお中央側のヒンジピン８は、以上のように、二つの半円筒部４ａ４、４ａ４の下方に挿入する前に、ねじりコイルバネ１１を該二つの半円筒部４ａ４、４ａ４の間に挿入し、その一方の端部を基板１の裏面の係止溝１ａに係止させ、他方の端部を副側板６の外面側に当接させた上で、前記の挿入操作を行い、該中央側のヒンジピン８を該半円筒部４ａ４、４ａ４に挿入する際に、該ねじりコイルバネ１１の本体部分に貫通させ、更に該ねじりコイルバネ１１の他方の端部を該副側板６の係止溝６ｄに係止させるようにする。
【００６０】
こうして該副側板６はその下部のヒンジピン８、８、８を中心に固定側板４の側板本体４ｂ側に当接すべく回動する作用力を該ねじりコイルバネ１１によって付与される。
【００６１】
したがってこの実施例のファイル用バインダの綴金具によれば、前記起伏側板２から延びる一対の綴棒３、３にファイル対象紙片をその綴じ込み孔を利用して嵌挿係止した上で、該起伏側板２を起立させると、前記したように、該綴棒３、３の先端が副側板６の摺動片６ｃ、６ｃに当接してスライド下降し、前記したように、これによって該副側板６が外方に開く開放回動動作し、この間に該綴棒３、３は更に下降して各々固定側板４の側板本体４ｂに形成した受け溝５、５に装入状態になり、その受け鍔５ａ、５ａで確実かつ安定した状態に支持されることになる。こうして綴棒３、３の先端が摺動片６ｃ、６ｃから外れると、前記ねじりコイルバネ１１の作用で、該副側板６が該固定側板４の側板本体４ｂ側に起立復帰し、該一対の綴棒３、３は前記受け鍔５ａ、５ａと共にその二つの嵌合孔７、７及びこれに設けた受け筒部７ｂ、７ｂで確実に外装固定されることとなる。そのため、ファイル対象紙片の綴じ込み状態は確実に維持されることとなる。また該二つの嵌合孔７、７は、前記のように、外方に膨らんだ膨出部７ａ、７ａに形成したものであるため、前記綴棒３、３の先端はここから外方に突出することはない。その結果、この綴金具をセットしたバインダの表紙に損傷を生じさせたり、使用者の手を傷つけるような虞はない。
【００６２】
綴じ込んだファイル対象紙片を抜き取る場合は、前記副側板６の上部の操作片６ｂを摘んでこれを若干外方に回動させると、前記一対の綴棒３、３の先端が、前記二つの嵌合孔７、７及び受け筒部７ｂ、７ｂから抜けて自由になるため、これを持ち上げ、起立している前記起伏側板２を外方に倒すように回動動作させると、該綴棒３、３は前記受け溝５、５及び受け鍔５ａ、５ａから浮上し、これらに嵌挿係止状態のファイル対象紙片を抜き取ることができることになる。
【００６３】
この状態で、該綴棒３、３には新たなファイル対象紙片を嵌挿係止し、或いはせずに、再度起伏側板２を起立させれば、前記した過程を経て、該綴棒３、３は固定側板４の受け溝５、５及び受け鍔５ａ、５ａ並びに副側板６の嵌合孔７、７及び受け筒部７ｂ、７ｂで確実に支持されることとなる。
【００６４】
前記副側板６は、その下端両側のヒンジピン８、８が、固定側板４の立ち上げ部４ａを構成する最下部の直立部４ａ１、４ａ１…と、その上端から外方に延長した水平部４ａ２、４ａ２…と、小直立部から外方に延長した水平受け片４ａ３、４ａ３と、側板本体４ｂから垂下した垂下片４ａ５、４ａ５との間で回動自在かつ上下及びその軸に交差する方向に容易に動かないように確実に支持される。またその下端中央のヒンジピン８が前記半円筒部４ａ４、４ａ４に挿入状態となって、上方及び内側に容易に動かないようにしじされることとなる。
【００６５】
そのため、前記副側板６の起伏開閉回動がスムーズかつ安定して行われ得ることとなり、綴棒３、３の固定側板４の受け溝５、５への固定及び固定解除が確実かつスムーズに行われ得るものとなる。従って前記のようなファイル対象紙片の綴じ込み及び抜き取り動作もスムーズかつ安定して行うことができる。更にこの綴金具を取り付けたバインダが床上に落下する等により大きな衝撃を受けた場合であっても、前記のように、確実にヒンジピン８、８、８が支持されているので、これがみだりに動くことがなく、そのため、前記綴棒３、３によるファイル対象紙片の綴じ込み状態はこのような場合にも確実に維持されることになる。
【図面の簡単な説明】
【００６６】
【図１】実施例１の綴金具の概略斜視図。
【図２】実施例１の綴金具の起伏側板を取り外した状態の概略斜視図。
【図３】起伏側板を取り外した実施例１の綴金具の副側板の取り付け途中の状態を示した概略斜視図。
【図４】起伏側板を取り外した実施例１の綴金具の副側板を外方に若干回動させた状態を示した概略斜視図。
【図５】起伏側板を取り外した実施例１の綴金具の副側板の取り付け途中の状態を示した裏面側からの概略斜視図。
【図６】起伏側板を取り外した実施例１の綴金具の副側板を外方に若干回動させた状態を示した裏面側からの概略斜視図。
【図７】起伏側板を取り外した実施例１の綴金具の裏面側からの概略斜視図。
【図８】副側板の概略斜視図。
【図９】起伏側板及びこれに構成した綴棒の概略斜視図。
【符号の説明】
【００６７】
１    基板
１ａ  基板１の係止溝
２    起伏側板
２ａ  ヒンジピン
２ｂ  脚片
３    綴棒
４    固定側板
４ａ  立ち上げ部
４ａ１  直立部
４ａ２  水平部
４ａ３  水平受け片
４ａ４  半円筒部
４ａ５  垂下片
４ｂ  側板本体
４ｂ１  補強縁
５    受け溝
５ａ  受け鍔
６    副側板
６ａ  補強縁
６ｂ  操作片
６ｃ  摺動片
６ｄ  副側板６の係止溝
７    嵌合孔
７ａ  膨出部
７ｂ  受け筒部
８    ヒンジピン
９    ヒンジ管
９ａ  スリット
１０  取付孔
１１  ねじりコイルバネ
【図１】
2005186436.tif 000003
【図２】
2005186436.tif 000004
【図３】
2005186436.tif 000005
【図４】
2005186436.tif 000006
【図５】
2005186436.tif 000007
【図６】
2005186436.tif 000008
【図７】
2005186436.tif 000009
【図８】
2005186436.tif 000010
【図９】
2005186436.tif 000011